(57)【要約】【課題】  撮影状況の邪魔にならないように、撮影画像の投射を制御する。【解決手段】  撮像部（１０１）は被写体を撮像し、投影部（１１０）は、撮像部（１０１）による撮影画像を投影する。システム制御部（１１６）は、撮像モードに従い、撮像部（１０１）及び投影部（１１０）を制御する。撮像モードのキャンドルライトモードでは、システム制御部（１１６）は、撮像部（１０１）のシャッタスピードを遅くし、ＡＧＣゲインを上げ、投射部（１１０）の投射光量を基準値より下げるか、オフにする。【選択図】  図１
2012070300.tif 000002
【特許請求の範囲】
【請求項１】
露光量及びズームを含む撮像条件を変更できる撮像手段と、
前記撮像手段による撮影画像を画像処理する画像処理手段と、
前記画像処理手段により処理された画像を投影する投影手段と、
複数の撮像モードの何れかを指示する操作手段と、
前記操作手段で指示される撮像モードに応じて、前記撮像手段の前記撮像条件を制御し、前記画像処理手段の画像処理条件と前記投影手段の投影条件の何れかを制御する制御手段
とを有する撮像装置であって、
前記制御手段は、キャンドルライトの撮像モードでは、前記投影手段の投影光量を基準値よりも少なくする
ことを特徴とする撮像装置。
【請求項２】
露光量及びズームを含む撮像条件を変更できる撮像手段と、
前記撮像手段による撮影画像を画像処理する画像処理手段と、
前記画像処理手段により処理された画像を投影する投影手段と、
前記撮像手段による撮影画像から撮像モードを決定する手段と、
決定された前記撮像モードに応じて、前記撮像手段の前記撮像条件を制御し、前記画像処理手段の画像処理条件と前記投影手段の投影条件の何れかを制御する制御手段
とを有する撮像装置であって、
前記制御手段は、キャンドルライトの撮像モードでは、前記投影手段の投影光量を基準値よりも少なくする
ことを特徴とする撮像装置。
【請求項３】
前記制御手段は、前記投影手段により投影される画像の光量とサイズを制御できることを特徴とする請求項１又は２に記載の撮像装置。
【請求項４】
前記制御手段は、前記画像処理手段による画像のコントラスト、色温度、輪郭の何れかを制御することを特徴とする請求項１乃至３のいずれか１項に記載の撮像装置。
【請求項５】
前記制御手段は、前記撮像手段による撮影画像に人物が含まれるか否かを検出する手段を具備し、前記人物が検出される場合に、前記撮像モードに応じて、前記撮像手段の前記撮像条件を制御し、前記画像処理手段の画像処理条件と前記投影手段の投影条件の何れかを制御することを特徴とする請求項１乃至４のいずれか１項に記載の撮像装置。
【請求項６】
前記制御手段は、前記撮像手段による撮影画像に人物が含まれるか否かを検出する手段と、前記人物が検出される場合に、前記投影手段による投影前後の前記撮像手段による撮影画像の差分を算出する手段とを具備し、前記差分が被写体の変化を示す場合に、前記撮像モードに応じて、前記撮像手段の前記撮像条件を制御し、前記画像処理手段の画像処理条件と前記投影手段の投影条件の何れかを制御することを特徴とする請求項１乃至４のいずれか１項に記載の撮像装置。
【請求項７】
露光量及びズームを含む撮像条件を変更できる撮像手段と、
前記撮像手段による撮影画像を画像処理する画像処理手段と、
前記画像処理手段により処理された画像を投影する投影手段
とを有する撮像装置の制御方法であって、
複数の撮像モードの何れかを指示するステップと、
指示される前記撮像モードに応じて、前記撮像手段の前記撮像条件、及び前記画像処理手段の画像処理条件と前記投影手段の投影条件の何れかを制御するステップであって、キャンドルライトの撮像モードでは、前記投影手段の投影光量を基準値よりも少なくするステップ
とを具備することを特徴とする撮像装置の制御方法。
【請求項８】
露光量及びズームを含む撮像条件を変更できる撮像手段と、
前記撮像手段による撮影画像を画像処理する画像処理手段と、
前記画像処理手段により処理された画像を投影する投影手段
とを具備する撮像装置の制御方法であって、
前記撮像手段による撮影画像から撮像モードを決定するステップと、
決定された前記撮像モードに応じて、前記撮像手段の前記撮像条件、及び前記画像処理手段の画像処理条件と前記投影手段の投影条件の何れかを制御するステップであって、キャンドルライトの撮像モードでは、前記投影手段の投影光量を基準値よりも少なくするステップ
とを具備することを特徴とする撮像装置の制御方法。
【発明の詳細な説明】
【技術分野】
【０００１】
本発明は、撮像装置及びその制御方法に関し、より具体的には、画像投影機能を有する撮像装置及びその制御方法に関する。
【背景技術】
【０００２】
従来、プロジェクタなどの画像投影装置を備えた撮像装置が知られている。この種の撮像装置は、撮影画像を任意の場所に投影して観賞することができる。
【０００３】
特許文献１には、画像撮影時に同時に投影を行うことで撮影補助を行う撮像装置が記載されている。特許文献１に記載の撮像装置は、被写体のプレビュー画像を投影し、これにより、被写体となる人物は、自分がどのように撮られているかを視覚的に認識できる。
【先行技術文献】
【特許文献】
【０００４】
【特許文献１】特開２００６−８０８７５号公報
【発明の概要】
【発明が解決しようとする課題】
【０００５】
特許文献１に記載される撮像装置では、撮影環境（及び投影環境）に関わらず同じ処理を施している。従って、投影光量に比べて周囲の光量が少ない場合に、投影光又はその反射光が被写体に干渉してしまうという問題がある。例えば、キャンドルライトの照明光下にある被写体を撮像する状況で、そのプレビュー画像を投影する場合、投影光の反射光が被写体に干渉してしまうことがある。投影光の光量が多いと、キャンドルライトのほのかな灯りの雰囲気を損ねてしまう。
【０００６】
本発明は、このような不都合を解消する撮像装置及びその制御方法を提示することを目的とする。
【課題を解決するための手段】
【０００７】
本発明に係る撮像装置は、露光量及びズームを含む撮像条件を変更できる撮像手段と、前記撮像手段による撮影画像を画像処理する画像処理手段と、前記画像処理手段により処理された画像を投影する投影手段と、複数の撮像モードの何れかを指示する操作手段と、前記操作手段で指示される撮像モードに応じて、前記撮像手段の前記撮像条件を制御し、前記画像処理手段の画像処理条件と前記投影手段の投影条件の何れかを制御する制御手段とを有する撮像装置であって、前記制御手段は、キャンドルライトの撮像モードでは、前記投影手段の投影光量を基準値よりも少なくすることを特徴とする。
【０００８】
本発明に係る撮像装置は、露光量及びズームを含む撮像条件を変更できる撮像手段と、前記撮像手段による撮影画像を画像処理する画像処理手段と、前記画像処理手段により処理された画像を投影する投影手段と、前記撮像手段による撮影画像から撮像モードを決定する手段と、決定された前記撮像モードに応じて、前記撮像手段の前記撮像条件を制御し、前記画像処理手段の画像処理条件と前記投影手段の投影条件の何れかを制御する制御手段とを有する撮像装置であって、前記制御手段は、キャンドルライトの撮像モードでは、前記投影手段の投影光量を基準値よりも少なくすることを特徴とする。
【０００９】
本発明に係る撮像装置の制御方法は、露光量及びズームを含む撮像条件を変更できる撮像手段と、前記撮像手段による撮影画像を画像処理する画像処理手段と、前記画像処理手段により処理された画像を投影する投影手段とを有する撮像装置の制御方法であって、複数の撮像モードの何れかを指示するステップと、指示される前記撮像モードに応じて、前記撮像手段の前記撮像条件、及び前記画像処理手段の画像処理条件と前記投影手段の投影条件の何れかを制御するステップであって、キャンドルライトの撮像モードでは、前記投影手段の投影光量を基準値よりも少なくするステップとを具備することを特徴とする。
【００１０】
本発明に係る撮像装置の制御方法は、露光量及びズームを含む撮像条件を変更できる撮像手段と、前記撮像手段による撮影画像を画像処理する画像処理手段と、前記画像処理手段により処理された画像を投影する投影手段とを具備する撮像装置の制御方法であって、前記撮像手段による撮影画像から撮像モードを決定するステップと、決定された前記撮像モードに応じて、前記撮像手段の前記撮像条件、及び前記画像処理手段の画像処理条件と前記投影手段の投影条件の何れかを制御するステップであって、キャンドルライトの撮像モードでは、前記投影手段の投影光量を基準値よりも少なくするステップとを具備することを特徴とする。
【発明の効果】
【００１１】
本発明によれば、撮像モードに応じて投影条件を制御することで、被写体の雰囲気を損なわずに撮影ができるとともに、撮影画角を確認できるようになる。
【図面の簡単な説明】
【００１２】
【図１】本発明の第１実施例の概略構成ブロック図である。
【図２】本実施例における撮像モードに対応した撮像制御を示す表である。
【図３】本実施例のガンマ特性を示す図である。
【図４】本実施例における撮像モードに対応した投影制御を示す表である。
【図５】本実施例の投影画像例である。
【図６】本発明の第２実施例の概略構成ブロック図である。
【図７】第２実施例の撮像シーン判別方法を説明する図である。
【図８】第２実施例の制御フローチャートである。
【発明を実施するための形態】
【００１３】
以下、図面を参照して、本発明の実施例を詳細に説明する。
【実施例１】
【００１４】
図１は、本発明に係る撮像装置の一実施例の概略構成ブロック図を示す。撮像部１０１は、撮像光学系１０２、撮像素子１０３及び撮像系画像処理部１０４からなる。撮像光学系１０２は、光学レンズ及び絞り等から構成される。撮像素子１０３は、撮像光学系１０２を通じて入射した被写体光学像を電気信号に変換する。撮像系画像処理部１０４は、撮像素子１０３からの画像信号にガンマ補正、ホワイトバランス、輪郭強調等の映像信号処理を行う。
【００１５】
１０５は後述する撮像モードに関する情報を管理する撮像モード管理部である。１０６は撮像系画像処理部１０４から出力された撮影画像データを液晶パネル１０７に画像を形成させるための液晶駆動部である。１０７は撮像装置本体上に画像を表示するための液晶パネルである。
【００１６】
１０８は、撮像系画像処理部１０４から出力される撮影画像データをＪＰＥＧ又はＨ．２６４等の符号化方式に従って符号化すると共に、決められたファイルシステムに従い記録媒体１０９に記録する記録制御部である。１０９は、ＨＤＤ（ハードディスク）、メモリ等からなる記録媒体であり、記録制御部１０８の出力信号を記録する。
【００１７】
１１０は画像投影部である。１１１は、入力画像データにガンマ補正、輪郭強調及び後述するエッジ画像化などの処理を行う投影系画像処理部である。
【００１８】
１１２は、入力画像データに基づき、液晶パネル１１４を駆動して画像を表示させる液晶駆動部である。１１３は、液晶パネル１１４に光を供給する光源である。１１４は液晶パネルである。
【００１９】
１１５は、ズームレンズ及びフォーカスレンズ等を具備し、光源１１３からの投影光を液晶パネル１１４に供給することにより得られた光学像を不図示の投影面に投影する投影光学系である。
【００２０】
１１６は、撮像装置全体を制御するシステム制御部である。１１７は、ユーザからの操作を受け付ける操作部である。システム制御部１１６は、撮像部１０１の撮像条件、例えば、露光量とズームを制御できる。システム制御部１１６はまた、投影系画像処理部１１１の画像処理条件及び光源１１３の光量、即ち投影光量等の、投影部１１０の投影条件を制御できる。
【００２１】
図１に示す撮像装置において、撮影時に撮影画像を投影する場合の基本動作を説明する。
【００２２】
撮像光学系１０２を通じて撮像素子１０３に入射した被写体光学像は、光電変換され、図示しないＡＧＣアンプで適正レベルに増幅された後、撮像系画像処理部１０４に出力される。撮像系画像処理部１０４は、撮像素子１０３で生成される画像信号に、ガンマ補正、色補正及び輪郭強調処理などの各種画像処理を行う。液晶駆動部１０６は、画像信号を液晶パネル１０７に画像を形成するのに適したフォーマットに変換して出力する。記録制御部１０８は、撮像系画像処理部１０４から出力される画像信号にＪＰＥＧ等の所定の符号化処理を施した後、記録媒体１０９に記録する。
【００２３】
撮像系画像処理部１０４は、画像データを投影部１１０にも出力する。投影部１１０は、撮像系画像処理部１０４からの画像データを図示しない投影面に投影する。
【００２４】
投影部１１０の処理を詳細に説明する。投影系画像処理部１１１は、撮像系画像処理部１０４から出力された画像信号にガンマ処理、色補正、輪郭強調及び後述するエッジ画像化などの画像処理を行う。また、液晶パネル１１４に適した解像度への変換を行い、画像信号を液晶駆動部１１２に出力する。液晶駆動部１１２は、画像信号を液晶パネル１１４での画像形成に適したフォーマットに変換して液晶パネル１１４に出力する。
【００２５】
液晶パネル１１４に形成された画像は、光源１１３からの照明光の輝度を変調して、投影画像に変換される。投影光学系１１５は、液晶パネル１１４で形成される投影画像を不図示の投影面に投影する。
【００２６】
撮像と同時に撮影画像を投影部１１０で投影する場合を説明したが、記録媒体１０９に蓄積された画像信号を投影表示する場合も、投影部１１０において同様の処理が行われる。
【００２７】
撮像モード切り替え時の処理を説明する。本実施例の撮像装置は複数の撮像モードを備えている。ユーザが、操作部１１７により撮像モードをシステム制御部１１６に指示できる。ユーザが撮像モードの変更を操作部１１７で指示すると、システム制御部１１６は、切り替えられた新たな撮像モード情報を撮像モード管理部１０５に出力する。システム制御部１１６は、撮像モード管理部１０５で管理している撮像モード情報を参照し、撮像部１０１及び投影部１１０を制御する。
【００２８】
本実施例は、撮像モードとして、キャンドルライトモード、低照度モード、夜景モード及び風景モードの４つのモードを具備する。各撮像モードで、被写体として人物が含まれるか否かを指定することが可能である。
【００２９】
各撮像モードでの、システム制御部１１６による撮像部１０１の制御処理を説明する。図２は、４つの撮像モードに対応した撮像部１０１の処理を示す表である。
【００３０】
キャンドルライトモードでは、システム制御部１１６は、撮像素子１０３のシャッタスピードを遅くし、図示しないＡＧＣゲインをゲインアップすることで、感度をアップする。また、撮像系画像処理部１０４におけるホワイトバランスを太陽光（約５０００Ｋ）に合わせる。これにより、ストロボ光を使わなくとも、キャンドルライトの赤みなどの雰囲気を残した撮像が行える。
【００３１】
ローライトモードでは、キャンドルライトモードよりもさらにＡＧＣゲインを上げるとともに、シャッタスピードを遅くして、感度をアップする。これにより、暗い場所でも明るく撮影することが可能となる。
【００３２】
夜景モードでは、被写体に人物が含まれる場合と人物が含まれない場合とで異なる処理を行う。人物が含まれる場合、ローライトモードと同じ処理にする。人物が含まれない場合、ＡＧＣゲインを標準状態にし、撮像系画像処理部１０４でのガンマ特性を暗部の輝度が過剰に上がらないような特性に切り替える。このガンマの特性を図３に示す。図３は入力画像信号の輝度の入出力特性（ガンマ特性）を示す。図３（ａ）は標準状態のガンマ特性を示し、図３（ｂ）は夜景モード（人なし）の場合のガンマ特性を示す。図３（ｂ）に示すように暗部の階調をつぶし気味にするようにする。これにより、夜景の暗部を過剰に明るく補正するのを防ぎ、ざらつきが少なく引き締まった黒で暗さを再現できる。
【００３３】
風景モードでは、撮像系画像処理部１０４における輪郭強調処理の強度を高くすると共に、色の彩度を高くする処理を行う。また、ガンマ特性を変更し、図３（ｃ）に示すように、コントラストを高くする。図３（ｃ）に示すようにコントラストを上げることで、風景をより立体的に、鮮やかに描写することが可能となる。
【００３４】
各撮像モードでの投影部１１０の処理を説明する。図４は、撮像モードに応じた、システム制御部１１６による投影部１１０の制御内容を示す表である。
【００３５】
前述のとおり、ユーザは撮像モードに加えて被写体に人物を含むシーンであるかどうかを指定可能である。ユーザが「人物を含まない」という指定がした場合は、人物を含まないその他のモードに入り、投影部１１０における投影を行わない。これは、投影を行ったとしても画像を確認すべき人物がいないからである。一方で「人物を含む」という指定がされた場合、以下で述べるように、システム制御部１１６は、指定された撮像モードに従い、投影光学系１１５、光源１１３および投影系画像処理部１１１を制御する。
【００３６】
キャンドルライトモードでは、システム制御部１１６は、光源１１３の光量を基準値より下げるように制御する。また、投影系画像処理部１１１を制御し、エッジ画像化を行う。エッジ画像に関して図５を用いて説明する。図５（ａ）は、撮像系画像処理部１０４から出力される撮影画像例を示す。図５（ｂ）は、撮像系画像処理部１０４から出力される画像に対して水平方向に一次微分を行ったエッジ画像を示す。デジタル画像信号の場合、一次部分は差分で表現できることが知られている。即ち、ｆ（ｉ，ｊ）を画像の座標（ｉ，ｊ）での濃淡レベルとすると、エッジ画像は、
Δｆ（ｉ，ｊ）＝ｆ（ｉ＋１，ｊ）−ｆ（ｉ−１，ｊ）
で表現される。図５（ｂ）は、Δｆ（ｉ，ｊ）を輝度値として画像化した例を示す。
【００３７】
さらに、システム制御部１１６は投影系画像処理部１１１に含まれる色温度制御部を制御し、投影光の色温度を被写体光源の色温度に近づける。システム制御部１１６は、被写体光源の色温度は、撮像部１０１におけるオートホワイトバランスの結果から算出するなど、撮像した画像から判断する。
【００３８】
このような制御により、キャンドルライトのほのかな灯りを撮像画像の投影により打ち消すことなくなる。被写体である人物は、撮影画角内の様子を容易に確認できるようになる。
【００３９】
ローライトモードでは、システム制御部１１６は、光源１１３の光量を上げるよう制御する。さらに、図５（ｂ）に示すようなエッジ画像を生成し、その階調を反転させて、エッジ部が黒、平坦部が白になるように変換する。階調を反転させた画像例を図５（ｃ）に示す。
【００４０】
このような制御により、画像中の白画素部分の面積が広くなり、投影光が反射して被写体に与える影響が大きくなる。これにより、暗いシーンでも明るく撮影できるとともに、被写体である人物は、撮影画角内の様子を容易に確認できるようになる。
【００４１】
夜景モードでは、システム制御部１１６は、光源１１３の光量を下げるように制御する。画像処理は、標準投影時と同じ処理とする。これにより、投影光が投影面に反射して被写体に影響してしまうことを低減できる。
【００４２】
風景モードでは、システム制御部１１６は、光源１１３の光量を上げるように制御する。また、投影光学系１１５を制御して、ズームを望遠側に変更する。さらに、投影系画像処理部１１１において、画像のコントラストを上げるように制御する。これらの処理を施した画像の投影例を図５（ｄ）に示す。ズームを望遠側に変更しているので、図５（ｄ）に示すように、画像のサイズは小さくなる。しかし、一定の光源に対する集光効率は増し、コントラストも上がるので、風景撮影時のような明るい場所でも、よりはっきり投影できる。被写体である人物は、投影画像により、画角を確認しやすくなる。
【００４３】
このように、本実施例では、被写体の雰囲気を損なわずに、有効な撮影補助となる画像投影を行うことが可能となる。
【００４４】
撮像モードとして４つの撮像モードを例示したが、これらに限定されない。撮像モードに応じて、投影パラメータを制御する構成であれば、どのような撮像モードを用いても構わない。
【００４５】
各撮像モードに対する投影制御の内容は、実施例で説明した内容に限定されない。例えば、夜景モードのときに投影画像のコントラストを上げるなどの処理を加えても構わない。
【００４６】
撮像部１０１と投影部１１０が一体化した構成を例に説明したが、撮像部１０１と投影部１１０が分離した構成であってもよい。
【００４７】
どの撮像モードでも、画像を投影するとしていたが、静止画の撮影に関しては、露出やホワイトバランスを決定する測光のタイミングや、シャッターを切ったタイミングにだけ、上記の制御を行うようにしてもよい。
【実施例２】
【００４８】
本発明に係る撮像装置の第２実施例を説明する。図６は、第２実施例の概略構成ブロック図を示す。図１に示す実施例の撮像モード管理部１０５の代わりに撮像シーン解析部６０１を設ける。撮像シーン解析部６０１は、撮像された画像がどのようなシーン（夜景又は風景など）であるかを判定する。図１に示す要素と同じ作用の要素には同じ符号を付してある。
【００４９】
図６に示す撮像装置において、撮影時に撮影画像を投影する動作を説明する。撮像部１０１の動作は実施例１と同様である。すなわち、被写体像を撮像し、画像信号を出力する。このとき、撮像系画像処理部１０４は、撮像した画像信号を撮像シーン解析部６０１にも出力する。撮像シーン解析部６０１は、以下で説明する処理によって撮像シーン、本実施例では、夜景、キャンドルライト、ローライト及び風景の４つの撮像シーンの何れであるかを判別する。
【００５０】
図７を参照して、撮像シーンの判別方法を説明する。図７（ａ）〜（ｃ）は、画像信号の輝度の累積ヒストグラムを示す。横軸は輝度値であり、右に行くほど高輝度である。また、縦軸は度数の累積であり、低輝度からの累積度数を示す。本実施例では、累積度数が所定の閾値ＴＨを越えた輝度に基づき撮像シーンを判別する。具体的には、累積度数ＴＨを越えた輝度をＹとすると、Ｙ≦Ｙ１のときは夜景と判別する。Ｙ１＜Ｙ≦Ｙ２のとき、ローライト又はキャンドルライトと判別する。Ｙ２≦Ｙのとき、風景と判別する。
【００５１】
図７（ａ）に示す例では、累積度数がＴＨを越えた輝度がＹ１よりも小さく、極端に暗い画像であるので、夜景と判別する。
【００５２】
図７（ｂ）に示す例では、累積度数がＴＨを越えた輝度ＹがＹ１＜Ｙ≦Ｙ２であり、やや暗い画像であるので、ローライト又はキャンドルライトのシーンと判別する。この後、ローライトとキャンドルライトのどちらであるかを判別する。この判別には、図７（ｄ）に示すように、画像の外側７０１と内側７０２の輝度の比を用いる。画像の外側７０１の輝度に対する内側７０２の輝度の比が所定閾値以上の場合、キャンドルライトのシーンと判別する。逆に、画像の外側７０１の輝度に対する内側７０２の輝度の比が所定閾値よりも小さいときは、ローライトのシーンであると判別する。これは、キャンドルライトのシーンの場合には画面の中央付近が周辺よりも明るくなる傾向があるからである。
【００５３】
図７（ｃ）に示す例では、累積度数がＴＨを越える輝度ＹがＹ２よりも高いので、風景のシーンと判別する。
【００５４】
撮像シーン解析部６０１は、判別した撮像シーンを示す撮像シーン情報をシステム制御部６１６に出力する。
【００５５】
また、撮像シーン解析部６０１は、人物の顔を検出する手段を備えており、人物の顔の検出結果も合わせてシステム制御部６１６に出力する。なお、人物の顔の認識手段に関しては、輝度信号のパターンマッチングを行う方法など、従来から様々な手法が提案されており、それらのどのような方法を用いてもかまわない。
【００５６】
システム制御部６１６は、撮像シーン解析部６０１からの撮像シーン情報に基づき、撮像部１０１及び投影部１１０の制御を以下に説明するように切り替える。図８は、システム制御部１１６の撮像シーン情報に基づく切替え動作のフローチャートを示す。
【００５７】
ステップＳ８００では、システム制御部６１６は、撮像シーン解析部６０１から、シーンの判別結果である撮像シーン情報を取得する。
【００５８】
ステップＳ８０１では、システム制御部６１６は、撮像シーン解析部６０１で判別した撮像シーン情報に基づき撮像部１０１の撮像モードを切り替える。撮像モードは、判別した撮像シーンの名称に対応している。例えば、キャンドルライトの撮像シーンであると判別した場合、撮像モードをキャンドルライトモードに切り替える。撮像モードに対応した撮像処理は、実施例１（図２）で説明した内容と同様であるので、詳細な説明を省略する。システム制御部６１６は、撮像モードを設定すると、撮像モードに応じた制御を撮像部１０１に実行する。
【００５９】
ステップＳ８０２では、システム制御部６１６は、撮像シーン解析部６０１から人物の顔の検出結果を取得し、被写体に人物を含むシーンであるか判定する。被写体に人物を含むシーンである場合、ステップＳ８０３に進み、人物を含まない場合はステップＳ８０７へ進む。
【００６０】
ステップＳ８０３では、システム制御部６１６は、投影部１１０を制御し、撮影画像を通常投影するよう制御する。このとき、システム制御部６１６は、投影前の被写体画像と投影後の被写体画像を撮像系画像処理部１０４から取得し、投影前後の被写体の輝度の差分の合計値を算出する。
【００６１】
ステップＳ８０４では、システム制御部６１６は、ステップＳ８０３で算出した投影前後の被写体の差分合計値が閾値よりも大きいかどうかを調べることで、被写体に変化があるかどうかを判定する。差分合計値が閾値よりも大きい場合には、投影光が被写体に影響を与えたとみなしてステップＳ８０５に進む。一方、投影前後の被写体の差分合計値が閾値よりも小さい場合、システム制御部６１６は、投影による影響は少ないと判断してステップＳ８０６に進む。
【００６２】
ステップＳ８０５では、システム制御部６１６は、投影によって被写体が影響を受けないように、撮像モードに応じた投影制御を行う。撮像モードに応じた投影制御の内容は、図４に示す表のキャンドルライトモード、ローライトモード、夜景モード及び風景モードのそれと同じである。
【００６３】
ステップＳ８０６では、システム制御部６１６は、投影によって被写体が影響を受けない場合であるので、通常の投影を行うように投影部１１０を制御する。ただし、撮像モードが風景モードの場合は投影による影響を受けない場合であっても、投影制御する効果があるので、図４に示す表の風景モードの場合と同じ投影制御を行う。
【００６４】
ステップＳ８０７では、システム制御部６１６は、被写体に人物がいない場合の処理を行う。この場合、撮影画像を被写体に示す必要がないため投影を停止する。
【００６５】
本実施例では、撮像した画像信号に基づき撮像シーンを判定し、撮像シーンに基づいて投影パラメータを制御するので、ユーザによる撮像シーンの設定無しで、撮像シーンに応じた投影制御が可能となる。
【００６６】
撮像シーンの上述した判別方法は一例であり、撮像シーンを判別できるその他の方法を適用できる。また、撮像シーンは、上述の４つの撮像シーンに限定されない。
【００６７】
以上、本発明の好ましい実施例を説明したが、本発明はこれらの実施例に限定されず、その要旨の範囲内で種々の変形及び変更が可能である。
【図１】
2012070300.tif 000003
【図２】
2012070300.tif 000004
【図３】
2012070300.tif 000005
【図４】
2012070300.tif 000006
【図５】
2012070300.tif 000007
【図６】
2012070300.tif 000008
【図７】
2012070300.tif 000009
【図８】
2012070300.tif 000010